(57)【要約】【課題】ユーザの好みに応じた画像と音声の組み合わせで、再生することができるようにする。【解決手段】プログラムリハーサルモードにより、ユーザが好みに応じて光ディスク２の画像とメモリカード３の音声を同時に再生する。その再生された内容は、メモリ３７に記憶された後、所定のフォーマットで新たなメモリカード３にプレイリストとして保存される。プログラム再生シンクロモードの場合、メモリカード３に保存されたプレイリストが読み込まれ、そのプレイリストに従って光ディスク２とメモリカード３に記録された画像と音声が同時に再生される。本発明は、ＤＶＤプレーヤに適用できる。【選択図】      図２
2004171718.tif 000002
【特許請求の範囲】
【請求項１】
第１の記録媒体に記録された第１の情報と、第２の記録媒体に記録された第２の情報を同時に再生する記録媒体再生装置において、
前記第１の記録媒体からの前記第１の情報の再生を制御する第１の再生制御手段と、
前記第２の記録媒体からの前記第２の情報の再生を制御する第２の再生制御手段と、
前記第１の再生制御手段による前記第１の情報の再生の開始時刻および終了時刻、前記第２の再生制御手段による前記第２の情報の再生の開始時刻および終了時刻、並びに、前記第１の情報の再生および前記第２の情報の再生の順番を設定する設定手段と、
前記設定手段により設定された前記第１の情報の再生の前記開始時刻および前記終了時刻、前記第２の情報の再生の前記開始時刻および前記終了時刻、並びに前記再生の順番を記憶する記憶手段と
を備えることを特徴とする記録媒体再生装置。
【請求項２】
前記記憶手段に記憶された前記第１の情報の再生の前記開始時刻および前記終了時刻、前記第２の情報の再生の前記開始時刻および前記終了時刻、並びに前記再生の順番は、前記第１の記録媒体に記録される
ことを特徴とする請求項１に記載の記録媒体再生装置。
【請求項３】
前記第２の再生制御手段は、前記第１の記録媒体からの前記第１の情報としての第１の画像と、前記第２の記録媒体からの前記第２の情報としての第２の画像を合成する
ことを特徴とする請求項１に記載の記録媒体再生装置。
【請求項４】
前記第１の記録媒体または前記第２の記録媒体は、ＣＤ，Ｖｉｄｅｏ  ＣＤ，ＤＶＤ，またはメモリカードである
ことを特徴とする請求項１に記載の記録媒体再生装置。
【請求項５】
第１の記録媒体に記録された第１の情報と、第２の記録媒体に記録された第２の情報を同時に再生する記録媒体再生装置の記録媒体再生方法において、
前記第１の記録媒体からの前記第１の情報の再生を制御する第１の再生制御ステップと、
前記第２の記録媒体からの前記第２の情報の再生を制御する第２の再生制御ステップと、
前記第１の再生制御ステップの処理による前記第１の情報の再生の開始時刻および終了時刻、前記第２の再生制御ステップの処理による前記第２の情報の再生の開始時刻および終了時刻、並びに、前記第１の情報の再生および前記第２の情報の再生の順番を設定する設定ステップと、
前記設定ステップの処理により設定された前記第１の情報の再生の前記開始時刻および前記終了時刻、前記第２の情報の再生の前記開始時刻および前記終了時刻、並びに前記再生の順番を記憶する記憶ステップと
を含むことを特徴とする記録媒体再生方法。
【請求項６】
第１の記録媒体に記録された第１の情報と、第２の記録媒体に記録された第２の情報を同時に再生するプログラムであって、
前記第１の記録媒体からの前記第１の情報の再生を制御する第１の再生制御ステップと、
前記第２の記録媒体からの前記第２の情報の再生を制御する第２の再生制御ステップと、
前記第１の再生制御ステップの処理による前記第１の情報の再生の開始時刻および終了時刻、前記第２の再生制御ステップの処理による前記第２の情報の再生の開始時刻および終了時刻、並びに、前記第１の情報の再生および前記第２の情報の再生の順番を設定する設定ステップと、
を含むことを特徴とするコンピュータが読み取り可能なプログラムが記録されている記録媒体。
【請求項７】
第１の記録媒体に記録された第１の情報と、第２の記録媒体に記録された第２の情報を同時に再生するプログラムにおいて、
前記第１の記録媒体からの前記第１の情報の再生を制御する第１の再生制御ステップと、
前記第２の記録媒体からの前記第２の情報の再生を制御する第２の再生制御ステップと、
前記第１の再生制御ステップの処理による前記第１の情報の再生の開始時刻および終了時刻、前記第２の再生制御ステップの処理による前記第２の情報の再生の開始時刻および終了時刻、並びに、前記第１の情報の再生および前記第２の情報の再生の順番を設定する設定ステップと、
を含む処理をコンピュータに実行させることを特徴とするプログラム。
【発明の詳細な説明】
【０００１】
【発明の属する技術分野】
本発明は、記録媒体再生装置および方法、記録媒体、並びにプログラムに関し、特に、ユーザの好みに応じた画像と音声の組み合わせで、再生することができるようにした記録媒体再生装置および方法、記録媒体、並びにプログラムに関する。
【０００２】
【従来の技術】
２チャンネル以上の再生出力系から、選択候補とされる複数の選択用音声データを、互いに異なる定位、例えば、左、センター、右、で同時に出力させ聞き分けることができるようにし、その中で所望のプログラムを選択できるようにすることが知られている（例えば、特許文献１参照）。
【０００３】
このように、従来より複数の再生データを同時に出力することは可能であった。例えば、光ディスク再生装置において、ＣＤ（Ｃｏｍｐａｃｔ  Ｄｉｓｃ）に記録された音楽を、メモリカードに記録された静止画再生のバックグラウンドミュージックとして、同時に再生することは、可能であった。
【０００４】
【特許文献１】
特開２０００−１８１５９３号公報
【０００５】
【発明が解決しようとする課題】
ユーザは、例えば、ＤＶＤ（Ｄｉｇｉｔａｌ  Ｖｅｒｓａｔｉｌｅ  Ｄｉｓｃ）に記録された画像を再生して視聴する場合、その再生画像に合う特定の音楽を自分の好みに合わせて選択し、再生して視聴したいと考えることがある。しかしながら、従来の装置では、画像と音楽を同時に再生するだけで、曲ごと、あるいは、画像ごとというような単位で、再生する画像と音楽をユーザの好きな組み合わせで同時に再生することは出来なかった。
【０００６】
本発明は、このような状況に鑑みてなされたものであり、ユーザの好みに応じた画像と音声の組み合わせで、再生することができるようにするものである。
【０００７】
【課題を解決するための手段】
本発明の記録媒体再生装置は、第１の記録媒体からの第１の情報の再生を制御する第１の再生制御手段と、第２の記録媒体からの第２の情報の再生を制御する第２の再生制御手段と、第１の再生制御手段による第１の情報の再生の開始時刻および終了時刻、第２の再生制御手段による第２の情報の再生の開始時刻および終了時刻、並びに、第１の情報の再生および第２の情報の再生の順番を設定する設定手段と、設定手段により設定された第１の情報の再生の開始時刻および終了時刻、第２の情報の再生の開始時刻および終了時刻、並びに再生の順番を記憶する記憶手段とを備えることを特徴とする。
【０００８】
記憶手段に記憶された第１の情報の再生の開始時刻および終了時刻、第２の情報の再生の開始時刻および終了時刻、並びに再生の順番は、第１の記録媒体に記録させるようにすることができる。
【０００９】
第２の再生制御手段には、第１の記録媒体からの第１の情報としての第１の画像と、第２の記録媒体からの第２の情報としての第２の画像を合成させるようにすることができる。
【００１０】
第１の記録媒体または第２の記録媒体は、ＣＤ，Ｖｉｄｅｏ  ＣＤ，ＤＶＤ，またはメモリカードであるようにすることができる。
【００１１】
本発明の記録媒体再生方法は、第１の記録媒体からの第１の情報の再生を制御する第１の再生制御ステップと、第２の記録媒体からの第２の情報の再生を制御する第２の再生制御ステップと、第１の再生制御ステップの処理による第１の情報の再生の開始時刻および終了時刻、第２の再生制御ステップの処理による第２の情報の再生の開始時刻および終了時刻、並びに、第１の情報の再生および第２の情報の再生の順番を設定する設定ステップと、設定ステップの処理により設定された第１の情報の再生の開始時刻および終了時刻、第２の情報の再生の開始時刻および終了時刻、並びに再生の順番を記憶する記憶ステップとを含むことを特徴とする。
【００１２】
本発明の記録媒体のプログラムは、第１の記録媒体からの第１の情報の再生を制御する第１の再生制御ステップと、第２の記録媒体からの第２の情報の再生を制御する第２の再生制御ステップと、第１の再生制御ステップの処理による第１の情報の再生の開始時刻および終了時刻、第２の再生制御ステップの処理による第２の情報の再生の開始時刻および終了時刻、並びに、第１の情報の再生および第２の情報の再生の順番を設定する設定ステップと、設定ステップの処理により設定された第１の情報の再生の開始時刻および終了時刻、第２の情報の再生の開始時刻および終了時刻、並びに再生の順番を記憶する記憶ステップとを含むことを特徴とする。
【００１３】
本発明のプログラムは、第１の記録媒体からの第１の情報の再生を制御する第１の再生制御ステップと、第２の記録媒体からの第２の情報の再生を制御する第２の再生制御ステップと、第１の再生制御ステップの処理による第１の情報の再生の開始時刻および終了時刻、第２の再生制御ステップの処理による第２の情報の再生の開始時刻および終了時刻、並びに、第１の情報の再生および第２の情報の再生の順番を設定する設定ステップと、設定ステップの処理により設定された第１の情報の再生の開始時刻および終了時刻、第２の情報の再生の開始時刻および終了時刻、並びに再生の順番を記憶する記憶ステップとをコンピュータに実行させることを特徴とする。
【００１４】
本発明においては、第１の記録媒体からの第１の情報の再生が制御され、第２の記録媒体からの第２の情報の再生が制御される。そして、第１の情報の再生の開始時刻および終了時刻、第２の情報の再生の開始時刻および終了時刻、並びに、第１の情報の再生および第２の情報の再生の順番が設定され、記憶される。
【００１５】
記録媒体再生装置は、独立した装置であっても良いし、１つの装置の再生処理を行うブロックであっても良い。
【００１６】
【発明の実施の形態】
図１は、本発明を適用したＤＶＤプレーヤ１の一実施の形態の構成例を示している。
【００１７】
ＤＶＤプレーヤ１は、ＤＶＤ、ＣＤ、あるいは、ＶＣＤ（Ｖｉｄｅｏ  ＣＤ）などの光ディスク２に記録された画像や音声を再生する。ＤＶＤプレーヤ１は、半導体メモリとしてのメモリカード３を装着するスロット１Ａを備え、例えば、メモリスティック（商標）で構成されるメモリカード３に記録された画像や音声を再生する。
【００１８】
ＤＶＤプレーヤ１は、ケーブル６でテレビジョン受像機４と接続されており、ＤＶＤプレーヤ１で再生された画像は、テレビジョン受像機４に表示され、ＤＶＤプレーヤ１で再生された音声は、テレビジョン受像機４の左右に配置されたスピーカ５−１とスピーカ５−２から出力される。ユーザは、光ディスク２またはメモリカード３に記録された画像または音声を、好みに応じて再生する。
【００１９】
図２は、ＤＶＤプレーヤ１の電気的な構成例を示している。
【００２０】
ＤＶＤプレーヤ１の処理部は、光ディスク２に記録された信号を復調する前処理部１１と、復調された信号を出力する後処理部１２とで構成される。
【００２１】
光ピックアップ２２は、図示せぬスピンドルモータによって回転駆動されている光ディスク２にレーザ光を照射する。光ピックアップ２２はまた、照射したレーザ光が光ディスク２で反射されることにより得られる反射光を受光し、その光電変換を行って、ＲＦ（Ｒａｄｉｏ  Ｆｒｅｑｕｅｎｃｙ）信号を、ＲＦアンプ２３に出力する。ＲＦアンプ２３は、光ピックアップ２２からのＲＦ信号を増幅して、復調部２４に出力する。
【００２２】
復調部２４は、ＲＦアンプ２３からのＲＦ信号を復調し、ＥＣＣ（Ｅｒｒｏｒ  Ｃｈｅｃｋｉｎｇ  ａｎｄＣｏｒｒｅｃｔｉｏｎ）部２６に出力する。また、復調部２４は、ＲＦ信号より得られるサーボ信号を、サーボ用ＤＳＰ（Ｄｉｇｉｔａｌ  Ｓｉｇｎａｌ  Ｐｒｏｃｅｓｓｏｒ）２５に供給する。サーボ用ＤＳＰ２５は、入力されたサーボ信号に基づいて、光ピックアップ２２のフォーカス状態やトラッキング状態を制御する。
【００２３】
ＥＣＣ部２６は、ＤＲＡＭ（Ｄｙｎａｍｉｃ  Ｒｅａｄ  Ｏｎｌｙ  Ｍｅｍｏｒｙ）２７に必要なデータを記憶させながら、復調部２４の出力の誤り検出および誤り訂正を行い、その結果得られるデータを、後処理部１２のＡＶ（Ａｕｄｉｏ  Ｖｉｓｕａｌ）デコーダ２８に供給する。
【００２４】
ＡＶデコーダ２８は、ＤＲＡＭ２９に必要なデータを記憶させながら、ＥＣＣ部２６からのデータを、例えばＭＰＥＧ（Ｍｏｖｉｎｇ  Ｐｉｃｔｕｒｅ  Ｅｘｐｅｒｔｓ  Ｇｒｏｕｐ）方式でデコードし、そのデコードの結果得られる、例えばコンポーネント信号等の画像データを、ＮＴＳＣ／ＰＡＬ（Ｎａｔｉｏｎａｌ  Ｔｅｌｅｖｉｓｉｏｎ  Ｓｙｓｔｅｍ  Ｃｏｍｍｉｔｔｅｅ  ／  Ｐｈａｓｅ  Ａｌｔｅｒｎａｔｉｏｎ  ｂｙ  Ｌｉｎｅ）エンコーダ３０に出力する。ＮＴＳＣ／ＰＡＬエンコーダ３０は、ＡＶデコーダ２８からの画像データを、必要に応じて、ＮＴＳＣまたはＰＡＬ方式の画像データに変換して、外部に出力する。
【００２５】
スイッチ、ボタン、リモートコマンダ等よりなる操作部３４は、ＤＶＤプレーヤ１に、光ディスク２の再生等の所定の処理を行わせるときにユーザにより操作され、その操作に対応する操作信号を、入力Ｉ／Ｆ（Ｉｎｔｅｒｆａｃｅ）３５に供給する。入力Ｉ／Ｆ３５は、操作部３４からの操作信号を受信し、システムコントローラ３６に供給する。システムコントローラ３６は、入力Ｉ／Ｆ３５から供給される操作信号に対応して、必要な情報を後処理部１２のメモリ３７に記憶させながら、サーボ用ＤＳＰ２５を制御して、光ディスク２に記録されたデータを復調させたり、ＡＶデコーダ２８、ＤＳＰ３１およびＤＡＣ３２を制御して画像および音声データを出力させる。
【００２６】
後処理部１２のＤＳＰ３１は、メモリカード３に対するデータの書き込み処理と読み出し処理を実行する。後処理部１２のＤＡＣ３２は、ＡＶデコーダ２８またはＤＳＰ３１から供給されるデジタルの音声データをＤ／Ａ変換し、増幅器３３に出力する。増幅器３３は、ＤＡＣ３２からのアナログの音声データを増幅して外部に出力する。
【００２７】
電源部３８は、システムコントローラ３６、その他に、必要な電力を供給する。システムコントローラ３６、ＡＶデコーダ２８、ＤＳＰ３１、メモリカード３、およびメモリ３７は、ホストバス３９を介して接続されており、必要に応じて画像データおよび音声データなどが相互に授受する。
【００２８】
また、システムコントローラ３６には、ドライブ１００も接続されている。ドライブ１００には、必要に応じて磁気ディスク１０１（フロッピディスクを含む）、光ディスク１０２（ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）を含む）、光磁気ディスク１０３（ＭＤ（Ｍｉｎｉ−Ｄｉｓｋ）を含む）、および、半導体メモリ１０４が装着され、データの授受を行う。
【００２９】
次に、図３のフローチャートを参照して、プログラムリハーサルモード処理について説明する。この処理は、ユーザが操作部３４を操作して、プログラムリハーサルモード処理の実行を指定したとき開始される。
【００３０】
ステップＳ１において、システムコントローラ３６は、入力Ｉ／Ｆ３５を介して操作部３４からプログラムリハーサルモードの開始の指令を受け取ると、図４に示されるようなプログラムリハーサルモードの画面のデータをメモリ３７から読み出し、ＡＶデコーダ２８、ＮＴＳＣ／ＰＡＬエンコーダ３０を介してテレビジョン受像機４の表示部５１に出力し、表示させる。
【００３１】
図４の表示例では、メイン画面５２とサブ画面５３が左右に並んで配置され、表示されている。ユーザは、メイン画面５２とサブ画面５３のそれぞれに、光ディスク２またはメモリカード３の２種類の記録媒体のいずれかを対応させる。ＤＶＤ選択部５４−１、ＣＤ選択部５５−１、ＶＣＤ選択部５６−１、またはメモリスティック選択部（以下、ＭＳとも称する）５７−１のいずれかを選択することで、メイン画面５２を所定の記録媒体に対応させる。同様に、ユーザは、ＤＶＤ選択部５４−２、ＣＤ選択部５５−２、ＶＣＤ選択部５６−２、またはＭＳ選択部５７−２のいずれかを選択することで、サブ画面５３を所定の記録媒体に対応させる。
【００３２】
さらに、ユーザは、メイン画面５２において、選択した記録媒体から再生する情報を、音声選択部５８−１、または画像選択部５９−１のいずれかを選択することで選択する。同様に、ユーザは、サブ画面５３において、音声選択部５８−２と画像選択部５９−２のいずれかを選択することで、ＭＳから再生する情報を選択する。図４の例においては、メイン画面５２において、ＤＶＤの画像が選択され、サブ画面５３において、メモリスティックの音声が選択されている。
【００３３】
ステップＳ２において、システムコントローラ３６は、再生するための画像が記録されたＤＶＤと、音声が記録されたメモリスティックが装着されたことを検知する。ステップＳ２ではまた、システムコントローラ３６は、ＤＶＤの名称とメモリスティック名称、並びに、ＤＶＤから再生する画像のファイルのファイル名と、メモリスティックから再生する音声のファイルのファイル名を取得する。ＤＶＤ（光ディスク２）またはメモリスティック（メモリカード３）が装着されていない場合、システムコントローラ３６は、装着を促すメッセージを表示部５１に表示させる。
【００３４】
ステップＳ３において、システムコントローラ３６は、内部の変数ｉに１をセットする。そして、ステップＳ４において、システムコントローラ３６は、シンクロナンバーをカウントする変数ＮＯにｉを代入する（いまの場合、ＮＯ＝１とする）。
【００３５】
以下、ユーザは、ＤＶＤから所定の画像を再生させるとともに、その画像と同時に再生したい音声をメモリスティックから再生させる操作を行う。すなわち、プログラムリハーサルが行われる。そこで、ステップＳ５において、システムコントローラ３６は、入力Ｉ／Ｆ３５を介して操作部３４から、ＤＶＤに記録された画像のうち、ユーザにより指定された画像の再生開始の指令を受け取り、その画像の再生を開始する。そして、ステップＳ６において、システムコントローラ３６は、現在時刻をＤＶＤ再生開始時刻と設定し、内部のメモリにその時刻を一時的に記憶するとともに、メイン画面５２（図４）上のスタート時刻のウィンドウ６０に、その時刻を表示させる。なお、メイン画面５２には、再生された画像も表示される。
【００３６】
すなわち、光ピックアップ２２により光ディスク２から再生された画像データは、ＲＦアンプ２３により増幅された後、復調部２４に入力され、復調される。ＥＣＣ部２６は、復調されたデータの誤りを訂正し、ＡＶデコーダ２８に出力する。ＡＶデコーダ２８は、入力された画像データをデコードする。ＮＴＳＣ／ＰＡＬエンコーダ３０は、ＡＶデコーダ２８によりデコードされた画像データをＮＴＳＣ方式の画像信号に変換し、表示部５１に出力し、表示させる。
【００３７】
ステップＳ７において、システムコントローラ３６は、入力Ｉ／Ｆ３５を介して操作部３４から、メモリスティック（メモリカード３）に記録された音声のうち、ユーザにより指定された音声の再生開始の指令を受け取り、その指定された音声の再生を開始する。
【００３８】
すなわち、ＤＳＰ３１は、メモリカード３から指定された音声のデータを読み出し、ＡＴＲＡＣ（Ａｄｖａｎｃｅｄ  Ｔｒａｎｓｆｏｒｍ  Ａｃｏｕｓｔｉｃ  Ｃｏｄｉｎｇ）３の方式でデコードする。ＤＡＣ３２は、ＤＳＰ３１より入力された音声データをアナログ信号に変換し、増幅器３３に出力する。増幅器３３は、入力された音声信号を増幅し、スピーカ５−１，５−２に出力する。
【００３９】
そして、ステップＳ８において、システムコントローラ３６は、現在時刻をメモリスティックの再生開始時刻と設定し、内部のメモリにその時刻を一時的に記憶する。
【００４０】
ユーザは、画像と音声の再生を停止させるとき、操作部３４を操作する。そこで、ステップＳ９において、システムコントローラ３６は、入力Ｉ／Ｆ３５を介して操作部３４から、メモリスティックに記録された音声の再生停止の指令を受け取ると、その音声の再生を停止する。そして、ステップＳ１０において、システムコントローラ３６は、現在時刻をメモリスティックの再生終了時刻として設定し、内部のメモリにその時刻を一時的に記憶する。
【００４１】
ステップＳ１１において、システムコントローラ３６は、入力Ｉ／Ｆ３５を介して操作部３４から、ＤＶＤに記録された画像の再生停止の指令を受け取ると、その画像の再生を停止する。そして、ステップＳ１２において、システムコントローラ３６は、現在時刻をＤＶＤの再生終了時刻として設定し、内部のメモリにその時刻を一時的に記憶するとともに、メイン画面５２（図４）上のエンド時刻のウィンドウ６１に、その時刻を表示させる。ステップＳ１２においては、この他、リンク位置の開始時刻と終了時刻、再生された音声ファイルのファイル名、並びにシンクロナンバーがシステムコントローラ３６の内部のメモリに一時的に記憶される。
【００４２】
以上のようにしてステップＳ４乃至ステップＳ１２の処理により、システムコントローラ３６は、ＤＶＤとメモリスティックの再生データの再生情報として、次のような情報を記憶する。
2004171718.tif 000003
ＤＶＤ開始時刻ＴｖｓおよびＤＶＤ終了時刻Ｔｖｅは、ＤＶＤ画像の再生が開始（ステップＳ６の時刻）および停止（ステップＳ１２の時刻）されたときの時刻を表す。また、メモリスティックファイル名Ｆｍ、メモリスティック開始時刻Ｔｍｓ、およびメモリスティック終了時刻Ｔｍｅは、それぞれメモリスティックから再生された音声のファイルのファイル名、ファイルＦｍの再生が開始された時刻（ステップＳ８の時刻）Ｔｍｓ、および再生が停止された時刻（ステップＳ１０の時刻）Ｔｍｅを表す。そして、リンク開始時刻ＴＬｓとリンク終了時刻ＴＬｅは、ＤＶＤ画像の再生とメモリスティックの音声がリンクしている（重なっている）ときの開始時刻と終了時刻を表す。シンクロナンバーは、現在設定されている変数ＮＯの値を表す。これらの時刻の具体的な例については、図７と図８を参照して後述する。
【００４３】
ステップＳ１３において、システムコントローラ３６は、入力Ｉ／Ｆ３５を介して操作部３４から、プログラムリハーサルモードの終了の指令を検知したか否かを判定する。
【００４４】
ステップＳ１３において、プログラムリハーサルモードの終了が検知されていないと判定された場合、システムコントローラ３６は、処理をステップＳ１４に進め、変数ｉを１だけ増やす。その後、ステップＳ４乃至ステップＳ１２の処理が繰り返される。従って、次に行われる画像と音声の再生は、シンクロナンバーＮＯ＝２として記憶される。
【００４５】
ステップＳ１３において、プログラムリハーサルモードの終了が検知されたと判定された場合、システムコントローラ３６は、処理をステップＳ１５に進める。
【００４６】
ステップＳ１５において、システムコントローラ３６は、内部のメモリに一時的に記憶しておいた上述のＤＶＤおよびメモリスティックの開始時刻および終了時刻などで構成されるプレイリストを、図５に示される所定のフォーマットで、メモリ３７に記憶する。
【００４７】
図５に示されるフォーマットの第１行目には、ＤＶＤのディスク名とメモリスティック名が記録される。第２行目には、ＤＶＤディスクのファイル名とメモリスティックのファイル名が記録される。
【００４８】
以下、シンクロナンバー毎の情報が記録される。各シンクロナンバーの情報は、ＤＶＤの画像の再生の開始時刻（メインストリーム開始時刻）、ＤＶＤの画像が再生された時間のうち、サブ画面５３で再生されたメモリスティックの音声とシンクロしている期間を示す開始時刻と終了時刻（メインストリームシンクロ開始時刻および終了時刻）、サブ画面５３で行われたメモリスティックの音声の開始時刻と終了時刻（サブストリームシンクロ開始時刻および終了時刻）、並びに、メイン画面５２で行われたＤＶＤの画像の再生が終了した時刻（メインストリーム終了時刻）で構成される。
【００４９】
なお、このうちのメインストリームシンクロ開始時刻と終了時刻、並びにサブストリームシンクロ開始時刻と終了時刻は、上述したリンク位置の時刻ＴＬｓ，ＴＬｅに対応する。上述のステップＳ４乃至ステップＳ１２の処理が、シンクロナンバー毎に繰り返されると、このシンクロナンバーの構成が、ＮＯ＝１，２，３，・・・，ｎというように、順次、追加される。そして、最終行には、各シンクロナンバー間の順番が記録される。これにより、再生の順番を、シンクロナンバーの順番と異ならせる場合でも、再生の順番を変更するだけで、変更が容易にできるようになされている。このフォーマットの具体的な例は、図７と図８を参照して後述する。
【００５０】
ステップＳ１６において、システムコントローラ３６は、ステップＳ１５で生成したプレイリストを保存するための、保存用のメモリスティックの装着をユーザに要求するメッセージを表示部５１に表示させる。ユーザは、プレイリストを保存するメモリスティックを、音声ファイルが記憶されているメモリスティックとは異なるものにする場合、メモリスティックを変更する。プレイリストを同一のメモリスティックに記録する場合、ユーザは、メモリスティックを変更しない。
【００５１】
プレイリスト保存用のメモリスティックの装着が検知されると、ステップＳ１７において、システムコントローラ３６は、プレイリストを図５で示したフォーマットでメモリスティックに記録する。このときの保存場所は、例えば、図６に示されるように、予め決められた所定の場所（ＲＯＯＴディレクトリの下の、ＣＯＮＴディレクトリ）とされる。勿論、任意の場所をユーザが指定するようにしてもよい。
【００５２】
上述のフローチャートの例では、システムコントローラ３６は、プレイリストを、再生する音声が記録されていたメモリスティック、またはそれとは別の、新たなメモリスティックに記録保存したが、ＤＶＤプレーヤ１のメモリ３７、またはＤＶＤ（光ディスク２）に記録させてもよい。
【００５３】
図７は、図３のプログラムリハーサルモード処理の具体例を示す図である。図７に示される例では、ＤＶＤの時刻ｔ１乃至ｔ２の画像が、シンクロナンバーＮＯ＝１として再生され、それと同時に、メモリスティックの時刻ｔ１２乃至ｔ１３の音声が再生されている。次に、シンクロナンバーＮＯ＝２として、ＤＶＤの時刻ｔ５乃至ｔ８の画像が再生され、そのうちの時刻ｔ６乃至ｔ７の時間に、メモリスティックの時刻ｔ１８乃至ｔ１９の音声が再生されている。さらに、シンクロナンバーＮＯ＝３として、ＤＶＤの時刻ｔ４乃至ｔ５の画像が再生され、それと同時に、メモリスティックの時刻ｔ１６乃至ｔ１７の音声が再生されている。最後に、シンクロナンバーＮＯ＝４として、ＤＶＤの時刻ｔ２乃至ｔ４の画像が再生され、その間の時刻ｔ３からｔ４の時間に、メモリスティックの時刻ｔ１４乃至ｔ１５の音声が同時に再生されている。
【００５４】
プログラムリハーサルモードにおいて、このような再生が行われた場合、図８に示されるようなプレイリストが作成、記録される。すなわち、シンクロナンバーＮＯ＝１においては、メインストリーム開始時刻は、ｔ１、メインストリームシンクロ開始時刻および終了時刻は、ｔ１およびｔ２、サブストリームシンクロ開始時刻および終了時刻は、ｔ１２およびｔ１３、メインストリーム終了時刻はｔ２とされる。シンクロナンバーＮＯ＝２においては、メインストリーム開始時刻は、ｔ５、メインストリームシンクロ開始時刻および終了時刻は、ｔ６およびｔ７、サブストリームシンクロ開始時刻および終了時刻は、ｔ１８およびｔ１９、メインストリーム終了時刻はｔ８とされる。
【００５５】
シンクロナンバーＮＯ＝３においては、メインストリーム開始時刻は、ｔ４、メインストリームシンクロ開始時刻および終了時刻は、ｔ４およびｔ５、サブストリームシンクロ開始時刻および終了時刻は、ｔ１６およびｔ１７、メインストリーム終了時刻はｔ５とされる。シンクロナンバーＮＯ＝４においては、メインストリーム開始時刻は、ｔ２、メインストリームシンクロ開始時刻および終了時刻は、ｔ３およびｔ４、サブストリームシンクロ開始時刻および終了時刻は、ｔ１４およびｔ１５、メインストリーム終了時刻はｔ４とされる。シンクロナンバー間の順番は、ＮＯ＝１，２，３，４の後に、ＮＯ＝２，３が再度繰り返されたものとされている。
【００５６】
次に、図９のフローチャートを参照して、メモリスティックに記録されたプレイリストを読み出して再生を行う、プログラム再生シンクロモード処理について説明する。
【００５７】
はじめに、ステップＳ３１において、システムコントローラ３６は、メモリスティックが装着されたことを検知する。そして、システムコントローラ３６は、ステップＳ３２において、ＤＳＰ３１を制御して、メモリスティックの予め決められたディレクトリ（図６の例の場合、ＣＯＮＴディレクトリ）に記録されているプレイリストを読み出す。
【００５８】
プレイリストは、図５に示されるような所定のフォーマットで記録されているので、システムコントローラ３６は、ステップＳ３３において、そのプレイリストに記録されているディスク名とメモリスティック名を、ＤＶＤプレーヤ１に接続されているテレビジョン受像機４の表示部５１に表示する。
【００５９】
その表示を確認したユーザが、表示された名前のディスクとメモリスティックを装着し、再生の開始を指示すると、システムコントローラ３６は、ステップＳ３４において、入力Ｉ／Ｆ３５を介してその再生の指示を検出する。
【００６０】
ステップＳ３５において、システムコントローラ３６は、読み出したプレイリストに従って、ＤＶＤの画像とメモリスティックの音声を同期して再生する。プレイリストの最後まで再生が終了したとき、プログラム再生シンクロモードの処理は終了する。
【００６１】
上述した例では、ＤＶＤに記録された画像とメモリスティック（メモリカード３）に記録された音声を同時に再生する実施の形態について説明したが、以上の例に限らず、ＤＶＤに記録された音声とメモリカード３にＪＰＥＧ（Ｊｏｉｎｔ  Ｐｈｏｔｏｇｒａｐｈｉｃ  Ｅｘｐｅｒｔ  Ｇｒｏｕｐ）などで記録された画像を同時に再生したり、または、ＣＤに記録された音楽とメモリカード３に記録された画像を同時に再生したりすることも可能である。
【００６２】
このようにして、例えば、ＤＶＤ（光ディスク２）に記録されている、自分の好きなタレントが出演している映画の好みのシーンに合わせて、メモリカード３に記録されている好みの曲を再生するようにすると、ユーザは、お気に入りのアルバムを製作することができる。また、メモリカード３に記録されているＪＰＥＧ静止画に同期してＣＤの音楽を再生するようにすると、ユーザは、ＣＤの音楽をＪＰＥＧ静止画に対する好みのバックグラウンドミュージックとすることができる。また、メモリスティックに録音した音声に同期してＤＶＤの映画を再生するようにすると、ユーザは、俳優の声を自分の声に吹き替えたり、違うセリフにすることができる。さらに、カラオケディスクに同期してメモリカードに記録された彼女の歌声を再生するようにすると、ユーザは彼女といつでもデュエットすることができる。
【００６３】
以上では、画像と音声を同時に再生する実施の形態について説明したが、画像と画像を再生（合成）する場合も考えられる。図１０は、そのような場合のＡＶデコーダ２８の構成例を示している。
【００６４】
通常のデコード処理の場合、ＡＶデコーダ２８のデコード部８１は、ＥＣＣ部２６（図２）から入力された画像のデータを、ＤＲＡＭ２９（図２）に必要なデータを記憶させながら、例えばＭＰＥＧ（Ｍｏｖｉｎｇ  Ｐｉｃｔｕｒｅ  Ｅｘｐｅｒｔｓ  Ｇｒｏｕｐ）方式でデコードし、そのデコードの結果得られる、例えば画像データを、ＮＴＳＣ／ＰＡＬエンコーダ３０（図２）に出力する。
【００６５】
一方、画像の合成がなされる場合、システムコントローラ３６（図２）は、入れ替え可能な領域の画像の色を、輝度信号ｙ０，色差信号ｃｂ０，色差信号ｃｒ０として、比較部８２に供給する。比較部８２は、システムコントローラ３６から供給される輝度信号ｙ０，色差信号ｃｂ０，色差信号ｃｒ０と、デコード部８１から入力されるＤＶＤの画像の輝度信号ｙ，色差信号ｃｂ，色差信号ｃｒとを比較し、同じ色であるか否かを判定する。この判定は、対応する色差信号どうしを比較することで行ってもよいし、Ｙ，Ｃｂ，Ｃｒ信号をＲＧＢ信号に変換した後、ＲＧＢ信号を比較することでおこなってもよい。判定結果は、選択部８３に出力される。選択部８３は、比較部８２から供給される判定結果に基づいて、入れ替え可能な画素に位置調整部８４から供給されたＪＰＥＧ画像を入れ替える。位置調整部８４は、ホストバス３９を介して入力されたメモリカード３のＪＰＥＧ画像を選択部８３で入れ替える画像の大きさに調整して出力する。選択部８３で入れ替えられた画像は、デコード部８１を介して、画像データとしてＮＴＳＣ／ＰＡＬエンコーダ３０に出力される。
【００６６】
次に、図１１のフローチャートを参照して、図１０のＡＶデコーダ２８が行う画像合成処理について説明する。
【００６７】
ステップＳ５１において、比較部８２は、システムコントローラ３６より供給される入れ替え可能な領域の画像の色を輝度信号ｙ０，色差信号ｃｂ０，色差信号ｃｒ０として受け取る。この色は、ユーザにより指定されたものである。
【００６８】
ステップＳ５２において、比較部８２は、デコード部８１から供給された原画像（ＤＶＤ画像）の色差信号ｃｂ、色差信号ｃｒと、システムコントローラ３６より供給された色差信号ｃｂ０，色差信号ｃｒ０の色が等しいか否かを判定する。原画像（ＤＶＤ画像）の色差信号ｃｂ，色差信号ｃｒと、システムコントローラ３６の指定した色差信号ｃｂ０，色差信号ｃｒ０の色が等しいと判定された場合、ステップＳ５４において、比較部８２は、その画素を入れ替え可能画素と決定し、その決定結果を選択部８３に出力する。
【００６９】
ステップＳ５３で、原画像（ＤＶＤ画像）の色差信号ｃｂ，色差信号ｃｒと、システムコントローラ３６が指定した色差信号ｃｂ０，色差信号ｃｒ０の色が違うと判定された場合、ステップＳ５５において、比較部８２は、その画素を入れ替え不可能画素と決定し、その決定結果を選択部８３に出力する。
【００７０】
ステップＳ５６において、比較部８２は、全ての画素について色の比較を行ったか否かを判定する。全ての画素についてまだ比較していないと判定された場合、比較部８２は、処理をステップＳ５２に戻し、次の画素についてそれ以降の処理を行う。
【００７１】
ステップＳ５６で、全ての画素について比較したと判定された場合、ステップＳ５７において、選択部８３は、入れ替え可能画素について画像の入れ替えを行う。すなわち、入れ替え可能な原画像の画素を、位置調整部８４から供給されたメモリカード３のＪＰＥＧ画像に入れ替えて、合成画像を生成させる。
【００７２】
図１２乃至図１４は、図１１の画像合成処理の画像合成例を示す図である。
【００７３】
図１２に示される画像ＩＬは、ＤＶＤより再生された原画像であり、領域Ｒの画素の色が、システムコントローラ３６より比較部８２に供給された色（色差信号ｃｂ０，色差信号ｃｒ０により指定された色）を有する範囲であるとする。
【００７４】
一方、図１３は、メモリカード３から読み込まれたＪＰＥＧ画像ＩＭ１を示している。図１４は、図１２の原画像ＩＬと図１３のＪＰＥＧ画像ＩＭ１の合成画像ＩＷを示しており、ＪＰＥＧ画像ＩＭ１が領域Ｒに収まるように位置調整されてＪＰＥＧ画像ＩＭ２となっている。
【００７５】
このように、再生画の所定の領域を他の画像と入れ替えることにより、例えば、ＤＶＤに記録された俳優の画像と、メモリカードに記録されたユーザのＪＰＥＧ画像をとなり合わせるように合成すると、ユーザは、映画に出てくる俳優と自分のツーショットポートレートが作成できる。
【００７６】
ここで、合成の元となるそれぞれの画像は、静止画像に限らずＭＰＥＧ２などの動画像であってもよいし、ＪＰＥＧ以外の圧縮方式で圧縮された画像であってもよいし、圧縮されていなくてもよい。
【００７７】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【００７８】
この記録媒体は、図２に示されるように、装置本体とは別に、ユーザにプログラムを提供するために配布される、プログラムが記録されている磁気ディスク１０１（フロッピディスクを含む）、光ディスク１０２（ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）を含む）、光磁気ディスク１０３（ＭＤ（Ｍｉｎｉ−Ｄｉｓｋ）を含む）、もしくは半導体メモリ１０４などよりなるパッケージメディアにより構成される。
【００７９】
なお、本明細書において、記録媒体に記録されるプログラムを記述するステップは、記載された順番に沿って時系列的に行われる処理はもちろん、必ずしも時系列的に処理されなくとも、並列的あるいは個別に実行される処理をも含むものである。
【００８０】
【発明の効果】
以上のごとく本発明によれば、画像と音声を編集することができる。特に、ユーザの好みに応じて画像と音声を編集し、同時に再生することができる。
【図面の簡単な説明】
【図１】本発明を適用したＤＶＤプレーヤの一実施の形態の構成例を示す図である。
【図２】図１のＤＶＤプレーヤの電気的な構成例を示すブロック図である。
【図３】プログラムリハーサルモード処理を説明するフローチャートである。
【図４】プログラムリハーサルモードの画面の表示例を示す図である。
【図５】プレイリストのフォーマットの例を示す図である。
【図６】メモリスティックのデータの格納場所の例を示す図である。
【図７】プログラムリハーサルモードの具体例を示す図である。
【図８】図７の例に対応するプレイリストの例を示す図である。
【図９】プログラム再生シンクロモード処理を説明するフローチャートである。
【図１０】図２のＡＶデコーダの構成例を示すブロック図である。
【図１１】図１０のＡＶデコーダの画像合成処理を説明するフローチャートである。
【図１２】図１１の画像合成処理を説明する図である。
【図１３】図１１の画像合成処理を説明する図である。
【図１４】図１１の画像合成処理を説明する図である。
【符号の説明】
２  光ディスク，  ３  メモリカード，  １１  前処理部，  １２  後処理部，  ２２  光ピックアップ，  ２３  ＲＦアンプ，  ２４  復調部，  ２５  サーボ用ＤＳＰ，  ２６  ＥＣＣ部，  ２７  ＤＲＡＭ，  ２８  ＡＶデコーダ，  ２９  ＤＲＡＭ，３０  ＮＴＳＣ／ＰＡＬエンコーダ，  ３１  ＤＳＰ，  ３２  ＤＡＣ，  ３３  増幅器，  ３４  操作部，  ３５  入力Ｉ／Ｆ，  ３６システムコントローラ，  ３７  メモリ，  ３８  電源部，  ３９  ホストバス
【図１】
2004171718.tif 000004
【図２】
2004171718.tif 000005
【図３】
2004171718.tif 000006
【図４】
2004171718.tif 000007
【図５】
2004171718.tif 000008
【図６】
2004171718.tif 000009
【図７】
2004171718.tif 000010
【図８】
2004171718.tif 000011
【図９】
2004171718.tif 000012
【図１０】
2004171718.tif 000013
【図１１】
2004171718.tif 000014
【図１２】
2004171718.tif 000015
【図１３】
2004171718.tif 000016
【図１４】
2004171718.tif 000017